(57)【要約】      （修正有）【課題】携帯電話又はタブレットを保護するケースを提供する。【解決手段】握り孔１４、１５と波形底部とを有するタブレット／携帯電話用のケースは、タブレット／携帯電話を置くためのタブレットボックスと、タブレットボックスに固定されるタブレット／携帯電話用の解除式保持手段とを有する。タブレットボックスの波形底部は、複数の湾曲バンド６〜１０を有する。湾曲バンドは、円弧断面及び二つの平行する側面を有し、二つの平行する側面はタブレットボックスの長辺と垂直である。複数の握り孔は、波形底部に配置され、長方形孔である。長方形孔の幅は湾曲バンドの幅の半分より狭い。【選択図】図２
2018142952.tif 000002
【特許請求の範囲】
【請求項１】
タブレット／携帯電話用の握り孔と波形底部を有するケースであって、
タブレット／携帯電話を置くためのタブレットボックスと、
タブレットボックスに固定されるタブレット／携帯電話用の解除式保持手段とを有し、
タブレットボックスの波形底部は、少なくとも一つの湾曲バンドを有し、湾曲バンドは円弧断面及び二つの平行する側面を有し、二つの平行する側面はタブレットボックスの長辺と垂直であり、少なくとも一つの握り孔は波形底部に配置され、握り孔の幅は湾曲バンドの幅の半分より狭い、
ことを特徴とするタブレット／携帯電話用の握り孔と波形底部を有するケース。
【請求項２】
波形底部は、五つの湾曲バンドを有し、カメラ用孔付きの湾曲バンドから順に、第一湾曲バンド、第二湾曲バンド、第三湾曲バンド、第四湾曲バンド及び第五湾曲バンドである、
ことを特徴とする請求項１に記載のタブレット／携帯電話用の握り孔と波形底部を有するケース。
【請求項３】
波形底部は、二つの握り孔を有し、握り孔はそれぞれ第二湾曲バンドと第四湾曲バンドにおける第三湾曲バンドと近い方に配置される、
ことを特徴とする請求項２に記載のタブレット／携帯電話用の握り孔と波形底部を有するケース。
【請求項４】
波形底部は、二つの握り孔を有し、一つの握り孔は第二湾曲バンドにおける間中の湾曲バンドと近い方に配置され、もう一つの握り孔は第三湾曲バンド、第四湾曲バンド及び第五湾曲バンドに渡って配置され、タブレットボックスの長辺と平行し、タブレットボックスの一つの長辺と近い方に配置される、
ことを特徴とする請求項２に記載のタブレット／携帯電話用の握り孔と波形底部を有するケース。
【請求項５】
波形底部は、四つの握り孔を有し、二つの握り孔はそれぞれ第一湾曲バンドと第五湾曲バンドに配置され、もう二つの握り孔は第二湾曲バンド、第三湾曲バンド及び第四湾曲バンドに渡って配置され、タブレットボックスの長辺と平行し、それぞれの長辺と近い方に配置される、
ことを特徴とする請求項２に記載のタブレット／携帯電話用の握り孔と波形底部を有するケース。
【請求項６】
波形底部は、四つの握り孔を有し、二つの握り孔はそれぞれ第一湾曲バンドと第五湾曲バンドに配置され、もう二つの握り孔は第二湾曲バンド、第三湾曲バンド及び第四湾曲バンドに渡って配置され、タブレットボックスの長辺へ傾くように配置される、
ことを特徴とする請求項２に記載のタブレット／携帯電話用の握り孔と波形底部を有するケース。
【請求項７】
ケースは弾性プラスチックから製造される、
ことを特徴とする請求項１に記載のタブレット／携帯電話用の握り孔と波形底部を有するケース。
【請求項８】
タブレット／携帯電話用の隆起ホルダーを有するケースであって、
タブレット／携帯電話を置くためのタブレットボックスと、
タブレットボックスに固定されるタブレット／携帯電話用の解除式保持手段とを有し、
タブレットボックスは平らな底部を有し、少なくとも一つの隆起ホルダーは平らな底部に配置され、隆起ホルダーは握り用の凹形湾曲面及び隆起湾曲面を有する、
ことを特徴とするタブレット／携帯電話用の隆起ホルダーを有するケース。
【請求項９】
一つの隆起ホルダーは平らな底部に配置され、タブレットボックスの長辺と平行する、
ことを特徴とする請求項８に記載のタブレット／携帯電話用の隆起ホルダーを有するケース。
【請求項１０】
二つの隆起ホルダーは平らな底部に配置され、タブレットボックスの短辺と平行する、
ことを特徴とする請求項８に記載のタブレット／携帯電話用の隆起ホルダーを有するケース。
【請求項１１】
ケースは弾性プラスチックから製造される、
ことを特徴とする請求項８に記載のタブレット／携帯電話用の隆起ホルダーを有するケース。
【請求項１２】
隆起ホルダーの両端はそれぞれ端面壁を有する、
ことを特徴とする請求項９または１０に記載のタブレット／携帯電話用の隆起ホルダーを有するケース。
【発明の詳細な説明】
【技術分野】
【０００１】
本発明は、モバイルフォン及びタブレットのアクセサリーに関し、詳細にはタブレット／携帯電話用のホルダーを有するケースに関する。
【背景技術】
【０００２】
現在、携帯電話やタブレットは、大きくなる一方である。画面が大きくなり閲覧しやすくなるが、片手で携帯電話又はタブレットを握って親指でタッチパネルを操作することは、ますます難しくなり、うっかりして携帯電話又はタブレットを地面に落としてしまい、損壊することがある。従来の各種の携帯電話又はタブレット用ケースは、保護機能、又は、電話又はタブレットを机に立てる機能のみを有し、上記問題を解決できない。
【発明の概要】
【発明が解決しようとする課題】
【０００３】
本発明の目的は、下記の思想によって実現される。本発明の目的は、上記難題を解決するために、タブレット／携帯電話用のホルダーを有するケースを提供することである。すなわち、本発明の携帯電話／タブレット用のホルダーを有するケースによって、人が手や手のひらで携帯電話／タブレットを持ち、かつ他の手で簡単に安全にタッチパネルを操作することができるようにすることである。本発明のケースは、波形の底部を有し、震動を抑え、携帯電話又はタブレットが地面に落下した場合、携帯電話又はタブレットを保護する。
【課題を解決するための手段】
【０００４】
本発明の目的を実現するために、本発明のタブレット／携帯電話用のケースは握り孔と波形底部とを有し、さらに、タブレット／携帯電話を置くためのタブレットボックスと、タブレットボックスに固定されるタブレット／携帯電話用の解除式保持手段とを有する。
タブレットボックスの波形底部は、複数の湾曲バンドを有し、湾曲バンドは円弧断面及び二つの平行する側面を有し、二つの平行する側面はタブレットボックスの長辺と垂直である。複数の握り孔は波形底部に配置され、長方形孔である。長方形孔の幅は湾曲バンドの幅の半分より狭い。
【０００５】
波形底部は、五つの湾曲バンドを有し、カメラ用孔付きの湾曲バンドから順に、第一湾曲バンド、第二湾曲バンド、第三湾曲バンド、第四湾曲バンド及び第五湾曲バンドである。
【０００６】
波形底部は、二つの握り孔を有し、握り孔はそれぞれ第二湾曲バンドと第四湾曲バンドにおける第三湾曲バンドと近い方に配置される。
【０００７】
波形底部は、二つの握り孔を有し、一つの握り孔は第二湾曲バンドにおける間中の湾曲バンドと近い方に配置され、もう一つの握り孔は第三湾曲バンド、第四湾曲バンド及び第五湾曲バンドに渡って配置され、タブレットボックスの長辺と平行し、タブレットボックスの一つの長辺と近い方に配置される。
【０００８】
波形底部は、四つの握り孔を有し、二つの握り孔はそれぞれ第一湾曲バンドと第五湾曲バンドに配置され、もう二つの握り孔は第二湾曲バンド、第三湾曲バンド及び第四湾曲バンドに渡って配置され、タブレットボックスの長辺と平行し、それぞれの長辺と近い方に配置される。
【０００９】
波形底部は、四つの握り孔を有し、二つの握り孔はそれぞれ第一湾曲バンドと第五湾曲バンドに配置され、もう二つの握り孔は第二湾曲バンド、第三湾曲バンド及び第四湾曲バンドに渡って配置され、タブレットボックスの長辺へ傾くように配置される。
【００１０】
本発明のタブレット／携帯電話用のケースは隆起ホルダーを有し、さらに、タブレット／携帯電話を置くためのタブレットボックスと、タブレットボックスに固定されるタブレット／携帯電話用の解除式保持手段とを有する。タブレットボックスは平らな底部を有し、複数の隆起ホルダーは平らな底部に配置され、隆起ホルダーは握り用の凹形湾曲面及び隆起湾曲面を有する。
【発明の効果】
【００１１】
使用者は、指を握り孔に入れ、または隆起ホルダーを握り、他の指に合わせて、ケールとタブレット／携帯電話との安定な保持を形成する。他の手の指で、タブレット／携帯電話を操作できる。本発明の新型ケースは波形の底部を有し、震動を抑え、携帯電話又はタブレットが地面に落下した場合、携帯電話又はタブレットを保護する。
【図面の簡単な説明】
【００１２】
【図１】本発明のタブレット／携帯電話用の波形底部を有するケースの斜視図である。
【図２】本発明の実施例のタブレット／携帯電話用の握り孔及び波形底部を有するケースの斜視図である。
【図３】図２におけるＡ−Ａ断面図である。
【図４】本発明のもう一つの実施例のタブレット／携帯電話用の握り孔及び波形底部を有するケースの斜視図である。
【図５】本発明のもう一つの実施例のタブレット／携帯電話用の握り孔及び波形底部を有するケースの斜視図である。
【図６】本発明のもう一つの実施例のタブレット／携帯電話用の握り孔及び波形底部を有するケースの斜視図である。
【図７】本発明のタブレット／携帯電話用の握り孔及び波形底部を有するケースの使用状態を示す図である。
【図８】本発明のタブレット／携帯電話用の握り孔及び波形底部を有するケースの使用状態を示す図である。
【図９】本発明の一実施例のタブレット／携帯電話用の隆起ホルダーを有するケースの斜視図である。
【図１０】図９におけるケースの正面図である。
【図１１】図１０におけるＡ１−Ａ１断面図である。
【図１２】本発明のもう一つの実施例のタブレット／携帯電話用の隆起ホルダーを有するケースの斜視図である。
【図１３】図１２におけるＢ−Ｂ断面図である。
【図１４】本発明のもう一つの実施例のタブレット／携帯電話用の隆起ホルダーを有するケースの斜視図である。
【図１５】図１４におけるＣ−Ｃ断面図である。
【図１６】本発明のもう一つの実施例のタブレット／携帯電話用の隆起ホルダーを有するケースの斜視図である。
【図１７】図１６におけるＤ−Ｄ断面図である。
【発明を実施するための形態】
【００１３】
以下、添付図面を参照して、本発明の実施形態を詳細に説明する。
【００１４】
図１と図３に示すように、タブレットケース（１）は、複数の湾曲バンドからなる波形底部（２）を備え、湾曲バンドは円弧断面（１２）及び二つの平行する側面（３，４）を有し、二つの平行する側面（３，４）はタブレットボックス（１）の長辺（５）と垂直である。タブレット／携帯電話用の解除式保持手段（１３）はタブレットボックス（１）の側面に固定される。
【００１５】
図２に示すように、波形底部は、五つの湾曲バンド（６，７，８，９，１０）を有し、カメラ用孔付きの湾曲バンドから順に、第一湾曲バンド、第二湾曲バンド、第三湾曲バンド、第四湾曲バンド及び第五湾曲バンドである。
【００１６】
波形底部（２）は、図３のように、二つの握り孔（１４，１５）を有し、握り孔はそれぞれ第二湾曲バンド（７）と第四湾曲バンド（９）における第三湾曲バンド（８）と近い方に配置される。長方形の握り孔（１４，１５）の幅は湾曲バンド（７又は９）の幅の半分より狭い。
【００１７】
図４に示すように、波形底部（２）は、二つの握り孔（１６，１７）を有し、一つの握り孔（１６）は第二湾曲バンド（７）における間中の湾曲バンド（８）と近い方に配置され、もう一つの握り孔（１７）は第三湾曲バンド（８）、第四湾曲バンド（９）及び第五湾曲バンド（１０）に渡って配置され、タブレットボックス（１）の長辺（５）と平行する。破線で表示される握り孔（１７）は、波形底部（２）の上方に配置できる。
【００１８】
図５に示すように、波形底部（２）は、四つの握り孔（１８，１９，２０，２１）を有し、二つの握り孔（１８，２０）はそれぞれ第一湾曲バンド（６）と第五湾曲バンド（１０）に配置され、もう二つの握り孔（１９，２１）は第二湾曲バンド（７）、第三湾曲バンド（８）及び第四湾曲バンド（９）に渡って配置され、タブレットボックス（１）の長辺（５）と平行し、それぞれの長辺（５）と近い方に配置される。
【００１９】
図６に示すように、波形底部（２）は、四つの握り孔（２２，２３，２４，２５）を有し、二つの握り孔（２２，２４）はそれぞれ第一湾曲バンド（６）と第五湾曲バンド（１０）に配置され、もう二つの握り孔（２３，２５）は第二湾曲バンド（７）、第三湾曲バンド（８）及び第四湾曲バンド（９）に渡って配置され、タブレットボックス（１）の長辺（５）へ傾くように配置される。
【００２０】
図７と８に示すように、使用者は握り孔で携帯電話／タブレット用ケースを簡単に握ることができる。握り孔と湾曲バンドの数は１，２又は多数でもよく、配置位置は使用者のため予め定められる。
【００２１】
図９、１０と１１に示すように、タブレット／携帯電話用のケースはタブレット／携帯電話を置くためのタブレットボックス（２６）と、タブレットボックス（２６）に固定されるタブレット／携帯電話用の解除式保持手段（３２）とを有する。タブレットボックス（２６）は平らな底部（２９）を有する。
【００２２】
隆起ホルダー（２８）は平らな底部（２９）に配置され、タブレットボックス（２６）の長辺と平行する。一つの実施例においては、隆起ホルダー（２８）は下方長辺と近い方に配置され、もうひとつの実施例においては、隆起ホルダー（２８）は上方長辺（カメラ穴（２７）の近くに破線で表示されている）と近い方に配置される。隆起ホルダー（２８）は握り用の凹形湾曲面（３１）及び隆起湾曲面（３０）を有する。
【００２３】
図１２と１３に示すように、二つの隆起ホルダー（３３）と（３４）は平らな底部（２９）に配置され、タブレットボックス（２６）の短辺と平行する。左の隆起ホルダー（３３）は握り用の凹形湾曲面（３６）及び隆起湾曲面（３５）を有する。右の隆起ホルダー（３４）は左の隆起ホルダー（３３）と同じ凹形湾曲面及び隆起湾曲面を有する。
【００２４】
図１４と１５に示すように、隆起ホルダー（２８）の両端は端面壁（３７）を有する。
【００２５】
図１６と１７に示すように、各隆起ホルダー（３３，３４）の両端は端面壁（３８）を有する。
【００２６】
平らな底部に配置される隆起ホルダーの数は１，２又は多数でもよく、配置位置は使用者のため予め定められる。
【００２７】
（付記）
（付記１）
タブレット／携帯電話用の握り孔と波形底部を有するケースであって、
タブレット／携帯電話を置くためのタブレットボックスと、
タブレットボックスに固定されるタブレット／携帯電話用の解除式保持手段とを有し、
タブレットボックスの波形底部は、少なくとも一つの湾曲バンドを有し、湾曲バンドは円弧断面及び二つの平行する側面を有し、二つの平行する側面はタブレットボックスの長辺と垂直であり、少なくとも一つの握り孔は波形底部に配置され、握り孔の幅は湾曲バンドの幅の半分より狭い、
ことを特徴とするタブレット／携帯電話用の握り孔と波形底部を有するケース。
【００２８】
（付記２）
波形底部は、五つの湾曲バンドを有し、カメラ用孔付きの湾曲バンドから順に、第一湾曲バンド、第二湾曲バンド、第三湾曲バンド、第四湾曲バンド及び第五湾曲バンドである、
ことを特徴とする付記１に記載のタブレット／携帯電話用の握り孔と波形底部を有するケース。
【００２９】
（付記３）
波形底部は、二つの握り孔を有し、握り孔はそれぞれ第二湾曲バンドと第四湾曲バンドにおける第三湾曲バンドと近い方に配置される、
ことを特徴とする付記２に記載のタブレット／携帯電話用の握り孔と波形底部を有するケース。
【００３０】
（付記４）
波形底部は、二つの握り孔を有し、一つの握り孔は第二湾曲バンドにおける間中の湾曲バンドと近い方に配置され、もう一つの握り孔は第三湾曲バンド、第四湾曲バンド及び第五湾曲バンドに渡って配置され、タブレットボックスの長辺と平行し、タブレットボックスの一つの長辺と近い方に配置される、
ことを特徴とする付記２に記載のタブレット／携帯電話用の握り孔と波形底部を有するケース。
【００３１】
（付記５）
波形底部は、四つの握り孔を有し、二つの握り孔はそれぞれ第一湾曲バンドと第五湾曲バンドに配置され、もう二つの握り孔は第二湾曲バンド、第三湾曲バンド及び第四湾曲バンドに渡って配置され、タブレットボックスの長辺と平行し、それぞれの長辺と近い方に配置される、
ことを特徴とする付記２に記載のタブレット／携帯電話用の握り孔と波形底部を有するケース。
【００３２】
（付記６）
波形底部は、四つの握り孔を有し、二つの握り孔はそれぞれ第一湾曲バンドと第五湾曲バンドに配置され、もう二つの握り孔は第二湾曲バンド、第三湾曲バンド及び第四湾曲バンドに渡って配置され、タブレットボックスの長辺へ傾くように配置される、
ことを特徴とする付記２に記載のタブレット／携帯電話用の握り孔と波形底部を有するケース。
【００３３】
（付記７）
ケースは弾性プラスチックから製造される、
ことを特徴とする付記１に記載のタブレット／携帯電話用の握り孔と波形底部を有するケース。
【００３４】
（付記８）
タブレット／携帯電話用の隆起ホルダーを有するケースであって、
タブレット／携帯電話を置くためのタブレットボックスと、
タブレットボックスに固定されるタブレット／携帯電話用の解除式保持手段とを有し、
タブレットボックスは平らな底部を有し、少なくとも一つの隆起ホルダーは平らな底部に配置され、隆起ホルダーは握り用の凹形湾曲面及び隆起湾曲面を有する、
ことを特徴とするタブレット／携帯電話用の隆起ホルダーを有するケース。
【００３５】
（付記９）
一つの隆起ホルダーは平らな底部に配置され、タブレットボックスの長辺と平行する、
ことを特徴とする付記８に記載のタブレット／携帯電話用の隆起ホルダーを有するケース。
【００３６】
（付記１０）
二つの隆起ホルダーは平らな底部に配置され、タブレットボックスの短辺と平行する、
ことを特徴とする付記８に記載のタブレット／携帯電話用の隆起ホルダーを有するケース。
【００３７】
（付記１１）
ケースは弾性プラスチックから製造される、
ことを特徴とする付記８に記載のタブレット／携帯電話用の隆起ホルダーを有するケース。
【００３８】
（付記１２）
隆起ホルダーの両端はそれぞれ端面壁を有する、
ことを特徴とする付記９または１０に記載のタブレット／携帯電話用の隆起ホルダーを有するケース。
【図１】
2018142952.tif 000003
【図２】
2018142952.tif 000004
【図３】
2018142952.tif 000005
【図４】
2018142952.tif 000006
【図５】
2018142952.tif 000007
【図６】
2018142952.tif 000008
【図７】
2018142952.tif 000009
【図８】
2018142952.tif 000010
【図９】
2018142952.tif 000011
【図１０】
2018142952.tif 000012
【図１１】
2018142952.tif 000013
【図１２】
2018142952.tif 000014
【図１３】
2018142952.tif 000015
【図１４】
2018142952.tif 000016
【図１５】
2018142952.tif 000017
【図１６】
2018142952.tif 000018
【図１７】
2018142952.tif 000019
【外国語明細書】
2018142952000001.pdf